(57)【特許請求の範囲】
【請求項１】
用紙を搬出する給紙ローラと、該給紙ローラを支持する回転軸に設けられたカムと、その一端が該カムに当接し、他端が用紙先端に当接させるための規制部位を設けた揺動アームと、用紙の給送経路で前記給紙ローラの下流に配置されるフィードローラおよびプレスローラとを備えた給紙装置であって、前記カムにより前記揺動アームを揺動させて給紙ローラから搬出された用紙の先端を該揺動アームの規制部位に突き当たる位置まで移動させるようにすると共に、この突き当たる位置を、側面視で前記フィードローラに重複する程度に、該フィードローラと前記プレスローラとのニップ部に接近させた位置とする、
ことを特徴とする給紙装置。
【請求項２】
前記給紙ローラを側面視で半月型に形成して、該給紙ローラの大径部と、前記カムの大径部とを、前記回転軸を挟んで略対称な位置に配置したことを特徴とする請求項１記載の給紙装置。
【請求項３】
前記規制部位を前記揺動アームの他端を鈍角に折り曲げて構成したことを特徴とする請求項１または請求項２記載の給紙装置。
【発明の詳細な説明】
【０００１】
【発明の属する技術分野】
本発明は、ファクシミリ装置や、複写機等の給紙装置に関し、詳しくは、該給紙装置から給送される用紙の斜行を矯正する技術に関する。
【０００２】
【従来の技術】
ファクシミリ装置等の画像形成装置の本体は、給紙装置の上に載置固定されており、該本体内に画像読取部と画像記録部とが上下に配置されている。この給紙装置に収納されている用紙は、給紙ローラによって繰り込まれ、レジスト手段により斜行が矯正された後に、画像記録部へと給送される。
従来、このレジスト手段は、給紙ローラの下流側に設けられた搬送ローラ対の駆動側のローラと、その駆動源であるステッピングモータとの間に、電磁クラッチを介設した構成で、繰り込まれた用紙は該電磁クラッチをＯＦＦにして停止している搬送ローラ対のニップ部に突き当たり、該ステッピングモータが所定ステップ数回転した後、該電磁クラッチをＯＮにして搬送ローラ対の駆動を再開させ、該用紙を給送するように構成されている。
このような構成で、繰り込まれた用紙の先端が、停止中の搬送ローラ対のニップ部に突き当てられ、位置規制されながら、給紙ローラによりさらに下流側へと送られるので、給紙ローラと搬送ローラ対との間の用紙にたるみが形成されて、用紙の先端が搬送ローラ対のニップ部に均等に突き当てられることにより、揃えられ、斜行が矯正されるのである。
【０００３】
【発明が解決しようとする課題】
しかしながら、前記従来技術では、搬送ローラとステッピングモータとの間に電磁クラッチを介設するとともに、該電磁クラッチのＯＮ／ＯＦＦのタイミングを計る制御装置を設ける必要があり、その制御構成は複雑で、コスト的にも不利である。
そこで、本発明では、給紙装置のレジスト手段の構造を簡素化して、コストの削減を図ることを課題とする。
【０００４】
【課題を解決するための手段】
本発明は、給紙装置における以上のような課題を解決すべく、次のような手段を用いるものである。
まず、請求項１に記載のように、用紙を搬出する給紙ローラと、該給紙ローラを支持する回転軸に設けられたカムと、その一端が該カムに当接し、他端が用紙先端に当接させるための規制部位を設けた揺動アームと、用紙の給送経路で前記給紙ローラの下流に配置されるフィードローラおよびプレスローラとを備えた給紙装置であって、前記カムにより前記揺動アームを揺動させて給紙ローラから搬出された用紙の先端を該揺動アームの規制部位に突き当たる位置まで移動させるようにすると共に、この突き当たる位置を、側面視で前記フィードローラに重複する程度に、該フィードローラと前記プレスローラとのニップ部に接近させた位置とする。
この構成では、給紙ローラにより用紙が繰り込まれるとともに、カムの回転により揺動アームの一端が押し上げられるに伴い、他端の規制部位側が下がる。この結果、繰り込まれた用紙の先端が規制部位に突き当たって、その向きが揃えられる。この間にもカムは回動しており、所定時間経過後、揺動アームの一端の押上げが解除されて他端の規制部位が上方へ退避し、用紙先端の規制が解除されて、該用紙は規制部位より下流側のローラ等に繰られて、下流側の装置へ給送されていく。しかも、規制部位に突き当たる位置からフィードローラおよびプレスローラのニップ部までの距離が近いため、規制部位による矯正後に用紙が斜行するのを防止できる。このような構成でレジスト手段の構造の簡素化が図られ、部品点数を削減して、コストを削減することができる。
【０００５】
そして、請求項２に記載のように、前記給紙ローラを側面視で半月型に形成して、該給紙ローラの大径部と、前記カムの大径部とを、前記回転軸を挟んで略対称な位置に配置する。
この構成で、給紙ローラの大径部により用紙が繰り込まれるときには、揺動アームの一端が押し上げられて他端の規制部位側が下がる。この結果、繰り込まれた用紙の先端が規制部位に突き当たって、その向きが揃えられる。一方、給紙ローラの大径部が用紙に接触せず、用紙が繰り込まれないときには、揺動アームの一端が下がって他端が上がり、用紙先端の規制が解除される。このように、用紙を繰り込むタイミングと用紙先端の規制の相対的なタイミングをうまく計ることができる。
【０００６】
また、請求項３に記載のように、前記規制部位を前記揺動アームの他端を鈍角に折り曲げて構成する。
この構成で、揺動アームの他端の規制部位側が上方へ退避する際、用紙を連れることなく斜上方へ逃げることとなる。従って、用紙を送り込む際に紙詰まりなどのトラブルが起きにくい構成となる。
【０００７】
【発明の実施の形態】
これより、本発明の一実施例について、ファクシミリ装置１を参照しながら説明する。
図１はファクシミリ装置１の斜視図、図２は同じく側面断面図、図３は本発明に係るレジスト手段の側面図、図４は同じく平面図、図５は同じく側面図である。
以下の説明では便宜上、図１に示す矢印Ａの方向をファクシミリ装置１の前方（正面側）として、各構造体の前後・左右位置を説明するものとする。他の図面におけるその各構造体の前後・左右位置についても、同様である。
【０００８】
まず、ファクシミリ装置１の概略構成について、図１を参照しながら説明する。
ファクシミリ装置１の本体は給紙装置２上に載置固定されており、該本体内に画像読取装置３と画像記録装置４が上下に配置されている。画像読取装置３の上方には自動原稿搬送装置（以下、「ＡＤＦ」）６が付設され、該ＡＤＦ６の前方には、外装カバー７がファクシミリ装置１本体に対して、開閉自在に設けられている。
【０００９】
この外装カバー７の上面は原稿の排出トレイ１０に用いられ、該排出トレイ１０の上方に給紙トレイ９が設けられている。この給紙トレイ９にセットされた原稿は、一枚ずつ分離されてＡＤＦ６内部へ取り込まれ、その画像が画像読取装置３のＣＣＤにより読み取られた後、排出トレイ１０へ排出される。
【００１０】
この読み取られた画像はデジタル信号（画情報）に変換され、電話回線を介して先方へ送信される。また、先方から受信した画情報は、画像記録装置４で処理され、給紙装置２から取り込んだ用紙に転写される。
あるいは、画像読取装置３で読み取った画像を、送信することなくそのまま画像記録装置４で用紙に転写することもできる（所謂、コピー機能）。
そして、該用紙は画像記録装置４から繰り出され、画像読取装置３の下方スペースに設けられた排出トレイ１１へ排出される。
【００１１】
次に、前記給紙装置２について説明する。
図２に示すように、給紙装置２は、上面が開放された略直方体形状の給紙カセット２０と、その中に設けられたフラッパ２１と、該給紙カセット２０の前端部左右両側に設けられた分離爪２２・２２等から構成されている。フラッパ２１は図示せぬスプリングにより、その前方側が押し上げられるように回動付勢される構成とされている。
給紙装置２に用紙をセットするときは、該フラッパ２１上に複数枚の用紙を載置した上で前記スプリングによってフラッパ２１を上方回動させ、載置した用紙の上面の先端（前端）の左右両隅の二箇所を、分離爪２２・２２の下面に押し当てるようにしてセットする。
【００１２】
そして、分離爪２２・２２の上方の、装置本体側にはピックアップローラ２５が設けられ、その前方にはフィードローラ２７とプレスローラ２８とが配設されている。
このピックアップローラ２５は、側面視で半月型に形成され、一回転するときに、そのローラ面がフラッパ２１上にセットされた複数枚の用紙のうち、最上層の用紙の上面に接触して繰り込む。該用紙は前記分離爪２２・２２にその先端両隅が規制されているため、その繰込みに対して一定の抵抗が発生するが、用紙同士の摩擦係数は小さいので、ピックアップローラ２５に接触する最上層の用紙のみがそれ以外の用紙に対して滑りを起こしながら、その先端両隅が撓んで該分離爪２２・２２から外れ、繰り込まれる。
このような構成で、最上層の用紙のみが繰り込まれ、該用紙の斜行を以下に説明するレジスト手段で矯正した後、前記フィードローラ２７・２７とプレスローラ２８・２８とによって画像記録装置４内へと繰り送られていく。
【００１３】
次に、前記レジスト手段の構成について説明する。
図３及び図４に示すように、レジスト手段を構成する揺動アーム３０は平面視で二股状に形成され、その前後中央が回動支点軸３１に取り付けられている。この回動支点軸３１は、ピックアップローラ２５の回転軸２４とフィードローラ２７の回転軸２６との間であって、用紙の搬送面から所定の高さ位置に横架されている。
【００１４】
そして、揺動アーム３０の二股に分かれた左右の前端部３０ａ・３０ａは、斜下方に向けて鈍角に折り曲げられ、左右のフィードローラ２７・２７の間に位置している。また、前後方向については、該揺動アーム３０の前端部３０ａ・３０ａはフィードローラ２７の回転軸２６にできるだけ接近させて配置しておく。この揺動アーム３０の前端部３０ａ・３０ａが本発明の規制部位に相当し、ピックアップローラ２５により繰り込まれた用紙の斜行を矯正することになる。
なお、詳細は後述するが、該揺動アーム３０の前端部３０ａ・３０ａから、フィードローラ２７とプレスローラ２８とのニップ部までの距離が長いと、いったん前端部３０ａ・３０ａで用紙の向きを矯正しても、この間で繰り送られる際に斜行が発生する恐れがあるので、該距離はできるだけ短くしておく。
また、揺動アーム３０の後端部３０ｂと、その上方の装置本体側のフレームとの間には圧縮バネ３２が介設され、揺動アーム３０は、側面視で反時計方向に付勢されている。
【００１５】
そして、ピックアップローラ２５の回転軸２４には、側面視、非円形のカム３３が周設されている。該カム３３は板状のカムとされて、左右のピックアップローラ２５・２５の間に配置され、前記揺動アーム３０の後端部３０ｂと当接するように構成されている。カム３３はピックアップローラ２５・２５と一体的に回転するよう構成している。
【００１６】
なお、このとき、このカム３３の大径部３３ａと、ピックアップローラ２５の大径部２５ａとは、回転軸２４を挟んで略対称な位置（略反対側の位置）となるよう配置する。
このカム３３は揺動アーム３０の前端部３０ａ・３０ａが下降する場合には、急激に降りることによるぶれが発生しないように、その大径部３３ａが緩やかな弧状に形成されて該揺動アーム３０の後端部３０ｂをゆっくりと上昇させる。一方、上昇する場合には、揺動アーム３０の前端部３０ａ・３０ａが用紙先端からすぐに離れるように、カム３３の小径部３３ｂは急斜面に形成されている。
【００１７】
以上のような構成で、図５（ａ）には、ピックアップローラ２５・２５が繰り込む前の状態が示されている。
この後、図５（ｂ）に示すように、回転するピックアップローラ２５・２５のローラ面（大径部２５ａ）が用紙に接触して、用紙を繰り出す。このときは、前記揺動アーム３０の後端部３０ｂがカム３３によりゆっくりと押し上げられるので、その前端部３０ａ・３０ａが下降して、用紙の給送経路を遮断する。
従って、ピックアップローラ２５・２５に繰り送られる前記用紙は、分離爪２２・２２を乗り越えて下流側へ給送されるが、図５（ｂ）に示すように用紙の先端は揺動アーム３０の前端部３０ａ・３０ａに突き当たる。即ち、この用紙の繰り出しの際に、左右のピックアップローラ２５・２５の接触圧の違いなどの原因によって、繰り送られる用紙が斜行することもあるが、用紙の先端が揺動アーム３０の前端部３０ａ・３０ａに突き当たることで、そのような斜行も矯正されるのである。
【００１８】
用紙の先端が揺動アーム３０の前端部３０ａ・３０ａに突き当たっている間にもカム３３は回動しており、従って、所定の時間が経過した後は図５（ｃ）に示すように、圧縮バネ３２に下方付勢される揺動アーム３０の後端部３０ｂは、カム３３の大径部３３ａから小径部３３ｂへ至る。これによりアームの後端部３０ｂは速やかに下がって、前端部３０ａ・３０ａは上昇して、用紙の給送経路を開放する。
このとき、揺動アーム３０の前端部３０ａ・３０ａは鈍角に折り曲げた形状に形成されているから、用紙を連れることなく素早く斜上方へ逃げ、用紙先端の規制が解除されて、ピックアップローラ２５・２５によって繰り送られる該用紙は下流側のフィードローラ２７・２７やプレスローラ２８・２８へ受け渡される。このような構成で、用紙の斜行を矯正し、その繰り送るタイミングは、ピックアップローラ２５の大径部２５ａと、カム３３の大径部３３ａとを、回転軸２４を挟んで略対称な位置に配置したことで、機械的に計られている。
【００１９】
本発明では、以上のように、簡単な機構でレジスト手段を構成することができ、部品点数の削減が図れて、コストを削減することができる。
なお、本発明に係るレジスト手段は、ファクシミリ装置１の下部の給紙装置２に限らず、半月型のピックアップローラを採用したＡＤＦ等にも付設することができる。
【００２０】
【発明の効果】
本発明は、以上のような構成とすることで、レジスト手段の構造の簡素化を図り、部品点数を削減して、コストを削減することができる。しかも、規制部位による矯正後に用紙が斜行するのを防止できる。本構成では、給紙ローラにより用紙が繰り込まれるとともに、カムの回転により揺動アームの一端が押し上げられる一方、他端が下がり、繰り込まれた用紙の先端はその下がった他端に突き当たって規制され揃えられる。さらにカムは回動して、所定時間経過後、揺動アームの一端が下がり、他端が上がって、用紙先端の規制が解除され、該用紙は給紙ローラに繰られて所定のタイミングでフィードローラおよびプレスローラ等の下流側の装置へ斜行することなく給送されていく。
【図面の簡単な説明】
【図１】ファクシミリ装置１の斜視図。
【図２】同じく側面断面図。
【図３】本発明に係るレジスト手段の側面図。
【図４】同じく平面図。
【図５】同じく側面図。
【符号の説明】
１    ファクシミリ装置
２    給紙装置
２０    給紙カセット
２５    ピックアップローラ
３０    揺動アーム
３１    回動支点軸
３２    圧縮バネ
３３    カム
【図１】
0003941459.tif 000002
【図２】
0003941459.tif 000003
【図３】
0003941459.tif 000004
【図４】
0003941459.tif 000005
【図５】
0003941459.tif 000006